(57)【要約】      （修正有）【課題】スキャンモジュール、送紙モジュール及び清掃モジュールを含む自動給紙スキャン装置を提供する。【解決手段】スキャンモジュールは紙載せ台１１０、スキャン台１２０及びスキャナ１３０を含み送紙モジュール２００はスキャンモジュールと重なるように設けられ、送紙モジュール内に送紙通路が形成され、送紙モジュールには送紙通路の一方側に連通したスキャン窓が備えられ、かつスキャン台の上面１２２はスキャン窓２０２を覆っている。清掃モジュールはブラシヘッド３１０と、ブラシヘッドに接続してそれを駆動するアクチュエートアセンブリとを含む。ブラシヘッドはスキャン台の上面に対応して設置され、アクチュエートアセンブリはブラシヘッドを駆動することによって、それを作動させてスキャン台の上面をブラッシングすることが可能である。【選択図】図２
0003235251.tif 000002
【実用新案登録請求の範囲】
【請求項１】
紙載せ台、スキャン台及びスキャナを含むスキャンモジュールであって、前記紙載せ台及び前記スキャン台は、いずれも板状の透光体であり、前記スキャン台の２つの面はそれぞれ、底面及び前記底面に対向する上面であり、前記スキャナは、前記スキャン台の前記底面に対応して配置され、且つ前記スキャナは、前記スキャン台の前記底面で停止するか、あるいは前記紙載せ台に沿って移動するかを選択可能である、スキャンモジュールと、
前記スキャンモジュールと重なるように設けられた送紙モジュールであって、内部に送紙通路が形成され、前記送紙通路の一方側に連通したスキャン窓が備えられ、かつ前記スキャン台の前記上面が前記スキャン窓を覆っている、送紙モジュールと、
ブラシヘッドと、前記ブラシヘッドに接続し、かつ前記ブラシヘッドを駆動するアクチュエートアセンブリと、を含む清掃モジュールであって、前記ブラシヘッドは、前記スキャン台の前記上面に対応して設置され、前記アクチュエートアセンブリは、前記ブラシヘッドを駆動することによって、前記ブラシヘッドを作動させて前記スキャン台の前記上面をブラッシング可能である、清掃モジュールと、
を含む、自動給紙スキャン装置。
【請求項２】
前記送紙モジュール内に紙押圧ブロックが枢設され、かつ前記紙押圧ブロックは、前記スキャン窓に対応して配置され、前記ブラシヘッドは、前記紙押圧ブロックの一方側に付設され、かつ前記アクチュエートアセンブリは、前記紙押圧ブロックの回転を駆動することによって、前記ブラシヘッドを移動させて前記スキャン台の前記上面と接触可能となるように、前記紙押圧ブロックに接続されている、請求項１に記載の自動給紙スキャン装置。
【請求項３】
前記清掃モジュールは、駆動ベルトをさらに含み、前記駆動ベルトは、前記スキャン台と平行して延伸し、前記ブラシヘッドは、前記駆動ベルト上に設置され、かつ前記スキャン台の前記上面に接触し、前記アクチュエートアセンブリは、前記駆動ベルトと係合している、請求項１に記載の自動給紙スキャン装置。
【請求項４】
前記アクチュエートアセンブリは、前記駆動ベルトと連動するアクチュエートモータを含む、請求項３に記載の自動給紙スキャン装置。
【請求項５】
前記清掃モジュールは、駆動ベルトをさらに含み、前記駆動ベルトは、前記スキャン台と平行して延伸し、前記ブラシヘッドは、前記駆動ベルト上に設置され、かつ前記スキャン台の前記上面に接触し、前記アクチュエートアセンブリは、前記駆動ベルトに接続している、請求項１に記載の自動給紙スキャン装置。
【請求項６】
前記アクチュエートアセンブリは、前記駆動ベルトに接続されたレバーを含み、かつ前記レバーの少なくとも一部が前記送紙モジュールまたは前記スキャンモジュールから露出している、請求項５に記載の自動給紙スキャン装置。
【請求項７】
前記アクチュエートアセンブリは、前記スキャン台と平行して延伸したレールを含み、前記レバーは、前記レールに沿って摺動可能に前記レール内に穿設されている、請求項６に記載の自動給紙スキャン装置。
【請求項８】
前記アクチュエートアセンブリは、前記スキャンモジュールに設置されている、請求項１に記載の自動給紙スキャン装置。
【請求項９】
前記アクチュエートアセンブリは、前記送紙モジュールに設置されている、請求項１に記載の自動給紙スキャン装置。
【請求項１０】
前記スキャン台の一方側に誘導斜面が設けられ、前記誘導斜面は、傾斜して前記スキャン台の前記上面に縦に設置され、かつ前記スキャン台と前記送紙通路との間に接続されている、請求項１に記載の自動給紙スキャン装置。
【請求項１１】
前記スキャン台と前記紙載せ台とが一体に接続されている、請求項１に記載の自動給紙スキャン装置。
【請求項１２】
前記送紙モジュールは、前記スキャンモジュールに枢接されている、請求項１に記載の自動給紙スキャン装置。
【請求項１３】
前記スキャン台は、前記紙載せ台の一方側から延伸している、請求項１に記載の自動給紙スキャン装置。
【請求項１４】
前記スキャン台は、前記紙載せ台の一部と重なっている、請求項１に記載の自動給紙スキャン装置。
【考案の詳細な説明】
【技術分野】
【０００１】
本考案は、複写機の自動給紙スキャン装置、特に、清掃モジュールを有する自動給紙スキャン装置に関する。
【背景技術】
【０００２】
一般に、複写機の自動給紙スキャン装置は、スキャンモジュール及び送紙モジュールを含んでいる。スキャンモジュールは、ガラスからなるスキャン台を１または複数含んでおり、その下方にスキャナが設けられている。送紙モジュールは、スキャンモジュールの上に重なるように設けられている。送紙モジュールは、連続的に用紙を搬送してスキャン台の特定の領域を通過させることができ、この特定の領域を用紙が通過する際、スキャナをその領域内に停止させておくことで、通過する各用紙を連続的にスキャンすることができる。スキャン台の上に用紙を置いて送紙モジュールで押さえておき、スキャナを移動することによって、単独の用紙をスキャンすることもできる。
【０００３】
複写機は、プリントする際に用いるトナーまたは用紙紙の繊維がスキャン台に付着しやすく、スキャンの品質不良を引き起こしてしまう。通常、ユーザは単独の用紙をスキャンする際、まず送紙モジュールを持ち上げる必要があるため、スキャン台の汚れに気づいて清掃を行うことができる。しかし、送紙モジュールを用いて連続的にスキャンする場合、送紙モジュールを持ち上げる必要がないため、スキャン台の汚れに気づきにくい。
【０００４】
上記に鑑み、本考案者は、上記の従来技術に対して鋭意に研究するとともに、知識及び理論を適用し、上記問題点の解決を図ることを、本考案に係る改良の目標とした。
【考案の概要】
【０００５】
本考案は、清掃モジュールを有する自動給紙スキャン装置を提供する。
【０００６】
本考案で提供される自動給紙スキャン装置は、スキャンモジュール、送紙モジュール及び清掃モジュールを含んでいる。スキャンモジュールは、紙載せ台、スキャン台及びスキャナを含み、紙載せ台及びスキャン台は、いずれも板状の透光体であり、スキャン台の２つの面はそれぞれ、底面及びこの底面に対向する上面であり、スキャナは、スキャン台の底面に対応して配置され、かつスキャナは、スキャン台の底面で停止するか、あるいは紙載せ台に沿って移動するかを選択可能である。送紙モジュールは、スキャンモジュールと重なるように設けられ、送紙モジュールの内部には送紙通路が形成され、送紙モジュールには、送紙通路の一方側に連通したスキャン窓が備えられ、スキャン窓は、スキャン台の上面に覆い被せられている。清掃モジュールは、ブラシヘッドと、ブラシヘッドに接続しかつブラシヘッドを駆動するアクチュエートアセンブリと、を含む。ブラシヘッドは、スキャン台の上面に対応して設置され、アクチュエートアセンブリは、ブラシヘッドを駆動することによって、ブラシヘッドを作動させてスキャン台の上面をブラッシングすることが可能である。
【０００７】
本考案に係る自動給紙スキャン装置において、前記送紙モジュール内に紙押圧ブロックが枢設され、かつ前記紙押圧ブロックは、前記スキャン窓に対応して配置され、前記ブラシヘッドは、前記紙押圧ブロックの一方側に付設され、かつ前記アクチュエートアセンブリは、前記紙押圧ブロックの回転を駆動させることによって前記ブラシヘッドを移動させて前記スキャン台の上面と接触可能となるように、前記紙押圧ブロックに接続されている。
【０００８】
本考案に係る自動給紙スキャン装置において、前記清掃モジュールは、駆動ベルトをさらに含み、前記駆動ベルトは、前記スキャン台と平行して延伸し、前記ブラシヘッドは、前記駆動ベルト上に設置されかつ前記スキャン台の前記上面に接触し、前記アクチュエートアセンブリは、前記駆動ベルトに係合している。アクチュエートアセンブリは、前記駆動ベルトと連動するアクチュエートモータを含む。
【０００９】
本考案に係る自動給紙スキャン装置において、前記清掃モジュールは、駆動ベルトをさらに含み、前記駆動ベルトは、前記スキャン台と平行して延伸し、前記ブラシヘッドは、前記駆動ベルト上に設置されかつ前記スキャン台の前記上面に接触し、前記アクチュエートアセンブリは、前記駆動ベルトに接続している。アクチュエートアセンブリは、前記駆動ベルトに接続されたレバーを含み、かつ前記レバーの少なくとも一部が前記送紙モジュールまたは前記スキャンモジュールから露出している。アクチュエートアセンブリは、前記スキャン台と平行して延伸したレールを含み、前記レバーは、前記レールに沿って摺動可能に前記レール内に穿設されている。
【００１０】
本考案に係る自動給紙スキャン装置において、前記アクチュエートアセンブリは、前記スキャンモジュールに設置されてもよい。また、アクチュエートアセンブリは、前記送紙モジュールに設置されてもよい。
【００１１】
本考案に係る自動給紙スキャン装置において、前記スキャン台の一方側に誘導斜面が設けられ、誘導斜面は、傾斜してスキャン台の上面に縦に設置され、かつスキャン台と送紙通路との間に接続されている。スキャン台と前記紙載せ台とは、一体に接続されている。送紙モジュールは、前記スキャンモジュールに枢接されている。
【００１２】
本考案に係る自動給紙スキャン装置において、スキャン台は、紙載せ台の一方側から延伸してもよい。また、スキャン台は、紙載せ台の一部と重なってもよい。
【００１３】
本考案に係る自動給紙スキャン装置は、スキャン台のための清掃モジュールを有するため、自動給紙スキャンの際、スキャン台の上の送紙モジュールを持ち上げなくても、スキャン台を容易に掃除できる。
【図面の簡単な説明】
【００１４】
【図１】本考案の第１実施例における自動給紙スキャン装置の立体透視模式図である。
【図２】本考案の第１実施例における自動給紙スキャン装置の断面図である。
【図３】本考案の第１実施例における自動給紙スキャン装置の断面図である。
【図４】本考案の第２実施例における自動給紙スキャン装置の立体透視模式図である。
【図５】本考案の第２実施例における自動給紙スキャン装置の別の形態の立体透視模式図である。
【図６】本考案の第３実施例における自動給紙スキャン装置の立体透視模式図である。
【図７】本考案の第３実施例における自動給紙スキャン装置の立体模式図である。
【考案を実施するための形態】
【００１５】
図１及び図２を参照すると、本考案の第１実施例は、スキャンモジュール１００、送紙モジュール２００及び清掃モジュール３００を少なくとも含む自動給紙スキャン装置を提供する。
【００１６】
スキャンモジュール１００は紙載せ台１１０、スキャン台１２０及びスキャナ１３０を含み、紙載せ台１１０は水平に配置された板状の透光体であり、スキャン台１２０は紙載せ台１１０のエッジの一方側から延伸しかつ同様に水平に配置された板状の透光体である。例えば、板状の透光体は、透明のガラス板または透明のプラスチック板でもよい。本実施例において、スキャン台１２０及び紙載せ台１１０は、個別の板状の透光体であるが、スキャン台１２０及び紙載せ台１１０は、一体に接続された同一の板状の透光体として形成されてもよい。また、スキャン台１２０は紙載せ台１１０の一部と重なっていてもよく、すなわち、単独の板状の透光体上の領域を紙載せ台１１０とし、かつこの領域内の一部をスキャン台１２０として使用する。
【００１７】
スキャン台１２０の２つの面はそれぞれ、底面１２１及び底面１２１に対向する上面１２２である。スキャナ１３０は、水平に移動可能にスキャン台１２０の下方に配置されている。スキャナ１３０の初期位置は、スキャン台１２０の底面１２１に対応していてもよく、かつスキャナ１３０は、スキャン台１２０の底面１２１で停止するか、あるいは紙載せ台１１０の下方まで移動して紙載せ台１１０に沿って移動するかを、選択可能である。一般に、スキャナ１３０は、ベルトに接続され、かつ、ギアとベルトとが係合してなるモータにて駆動できる。スキャン台１２０の一方側には、誘導斜面１４０が設けられてもよい。本実施例で示す紙載せ台１１０及びスキャン台１２０は、互いに隣接して配置され、かつ誘導斜面１４０はスキャン台１２０と紙載せ台１１０との間に位置している。
【００１８】
送紙モジュール２００は、スキャンモジュール１００と重なるように設けられ、送紙モジュール２００は、スキャンモジュール１００に枢接されている。送紙モジュール２００内に送紙通路２０１が形成され、送紙モジュール２００には、送紙通路２０１の一方側に連通したスキャン窓２０２が備えられている。スキャン台１２０の上面１２２をスキャン窓２０２の箇所に対応して配置することにより、スキャン台１２０の上面１２２がスキャン窓２０２を覆う。送紙モジュール２００は、連続的に複数枚の書類用紙を搬送して送紙通路２０１を通過させる。具体的に、送紙モジュール２００は、複数の書類用紙を格納するための用紙トレイ２２０を有し、かつ送紙モジュール２００内には、用紙トレイ２２０内の書類用紙をこの用紙トレイ２２０から押し出して送紙通路２０１を通過させるための複数のローラ２３０が設けられている。スキャナ１３０が、スキャン台１２０で停止すると、各書類用紙がスキャン窓２０２を通過する際に各書類用紙をスキャンすることができる。送紙モジュール２００内には、紙押圧ブロック２１０が設けられ、かつ紙押圧ブロック２１０は、スキャン窓２０２に対応して配置されている。送紙通路２０１を通過する各書類用紙をスキャンする際、送紙モジュール２００は、その内部の紙押圧ブロック２１０によって、スキャン窓２０２を通過している書類用紙を押さえることで、この書類用紙をスキャン台１２０上に平らに張り付けることができる。誘導斜面１４０は、スキャン窓２０２の一方側に配置され、かつ送紙通路２０１の延伸方向に垂直となるように前記一方側に沿って延伸している。このため、スキャン窓２０２を通過した書類用紙を誘導して、この書類用紙を送紙通路２０１内に保持することができる。本実施例では、誘導斜面１４０は長手の板状体であり、かつその断面がほぼ直角三角形になっている。誘導斜面１４０はスキャン台１２０の上面１２２に縦に設置されている。誘導斜面１４０は、スキャン窓２０２の一方側に沿って配置されている。誘導斜面１４０は、直角三角形の斜辺の側面に位置するようにスキャン台１２０の上面１２２から傾斜して立ち上がり、かつスキャン台１２０の上面１２２と送紙通路２０１との間に接続されている。書類用紙は、スキャン窓２０２を通過する際、まず、紙押圧ブロック２１０にてスキャン窓２０２から押し出されてスキャン台１２０上に張り付けられ、その後、誘導斜面１４０の誘導にて送紙通路２０１内へ戻される。
【００１９】
具体的に、紙載せ台１１０は、書類用紙を担持するものであり、かつスキャナ１３０は、この書類用紙をスキャンするために紙載せ台１１０に沿って移動することができる。紙載せ台１１０上の書類用紙をスキャンする際、送紙モジュール２００は、それ自体の重さにより書類用紙を押さえ、書類用紙を紙載せ台１１０に平らに張り付けることができる。
【００２０】
図１〜図３を参照すると、本実施例では、清掃モジュール３００は、ブラシヘッド３１０と、ブラシヘッド３１０に接続し、かつそれを駆動するアクチュエートアセンブリ３２０と、を含む。ブラシヘッド３１０は、スキャン台１２０の上面１２２に対応して設置され、アクチュエートアセンブリ３２０は、ブラシヘッド３１０を駆動することによって、ブラシヘッド３１０を作動させてスキャン台１２０の上面１２２をブラッシングすることができる。図２及び図３を参照すると、具体的に、紙押圧ブロック２１０は、回転可能に送紙モジュール２００内に枢設され、ブラシヘッド３１０は、紙押圧ブロック２１０の一方側に付設され、かつアクチュエートアセンブリ３２０は、紙押圧ブロック２１０の回転を駆動することによって、ブラシヘッド３１０を移動させて前記スキャン台１２０の上面１２２と接触できるように、紙押圧ブロック２１０に接続されている。アクチュエートアセンブリ３２０は、アクチュエートモータ３２１を含んでもよく、かつアクチュエートモータ３２１は、紙押圧ブロック２１０の回転を駆動するように、直接、またはギアを介して紙押圧ブロック２１０と連動してもよい。また、アクチュエートモータ３２１は、上述したローラ２３０またはスキャナ１３０を駆動してこれらを作動させるものとして兼用されてもよい。
【００２１】
図４を参照すると、本考案の第２実施例は、スキャンモジュール１００、送紙モジュール２００及び清掃モジュール３００を少なくとも含む自動給紙スキャン装置を提供する。なお、スキャンモジュール１００及び送紙モジュール２００は、上述した第１実施例と同様であるため、その説明を省略する。本実施例における、第１実施例との相違点を以下に詳細に述べる。
【００２２】
本実施例において、清掃モジュール３００は、ブラシヘッド３１０、駆動ベルト３３０及びアクチュエートアセンブリ３２０を含む。駆動ベルト３３０は、スキャン台１２０と平行して延伸し、ブラシヘッド３１０は、駆動ベルト３３０上に設置されかつスキャン台１２０の上面１２２に接触している。アクチュエートアセンブリ３２０は、駆動ベルト３３０に係合している。アクチュエートアセンブリ３２０が駆動ベルト３３０を引っ張ることによって、ブラシヘッド３１０が牽引されてスキャン台１２０に沿って移動し、スキャン台１２０の上面１２２をブラッシングすることができる。本実施例において、駆動ベルト３３０は、ベルトまたはチェーンでもよいが、本考案では駆動ベルト３３０の態様を限定しない。本実施例において、アクチュエートアセンブリ３２０は、駆動ベルト３３０と連動するアクチュエートモータ３２１であり、かつアクチュエートモータ３２１は、ギアを介して駆動ベルト３３０と係合してもよい。本考案ではアクチュエートアセンブリ３２０の設置箇所を限定しない。例えば、アクチュエートアセンブリ３２０は、図４に示すように送紙モジュール２００内に設置されていてもよく、アクチュエートアセンブリ３２０は、図５に示すようにスキャンモジュール１００内に設置されていてもよい。
【００２３】
図６及び図７を参照すると、本考案の第３実施例は、スキャンモジュール１００、送紙モジュール２００及び清掃モジュール３００を少なくとも含む自動給紙スキャン装置を提供する。なお、スキャンモジュール１００及び送紙モジュール２００は、上述した第１実施例と同様であるため、その説明を省略する。本実施例における、第１実施例との相違点を以下に詳細に述べる。
【００２４】
本実施例において、清掃モジュール３００は、ブラシヘッド３１０、駆動ベルト３３０及びアクチュエートアセンブリ３２０を含む。駆動ベルト３３０は、スキャン台１２０と平行して延伸し、ブラシヘッド３１０は、駆動ベルト３３０上に設置され、かつスキャン台１２０の上面１２２に接触している。アクチュエートアセンブリ３２０は、駆動ベルト３３０に接続されている。本実施例において、アクチュエートアセンブリ３２０は、駆動ベルト３３０に接続されたレバー３２２を含み、かつ本実施例で示すレバー３２２の少なくとも一部が送紙モジュール２００から露出しているため、ユーザは駆動ベルト３３０を引っ張ってブラシヘッド３１０を移動させることができる。但し、レバー３２２は、スキャンモジュール１００から露出してもよいため、同様にユーザは駆動ベルト３３０を引っ張ってブラシヘッド３１０を移動させることができる。アクチュエートアセンブリ３２０が駆動ベルト３３０を引っ張ることによって、ブラシヘッド３１０が牽引されてスキャン台１２０に沿って移動してスキャン台１２０の上面１２２をブラッシングすることができる。また、アクチュエートアセンブリ３２０は、スキャン台１２０と平行して延伸したレール３０１を含み、レバー３２２は、レール３０１に沿って摺動可能にレール３０１内に穿設されている。本実施例において、駆動ベルト３３０は、ベルトまたはチェーンでもよいが、本考案では駆動ベルト３３０の態様を限定しない。本実施例において、アクチュエートアセンブリ３２０は送紙モジュール２００内に設置され、かつレール３０１の形態は送紙モジュール２００のハウジング上に設置された幅狭溝となっているが、本考案ではレール３０１の形態を限定しない。但し、第２実施例における図５に示す配置を参考すると、本実施例におけるアクチュエートアセンブリ３２０は、スキャンモジュール１００内に設置されてもよく、かつレール３０１も併せてスキャンモジュール１００のハウジング上に設置されてもよい。
【００２５】
本考案に係る自動給紙スキャン装置は、スキャン台１２０のための清掃モジュール３００を有するため、自動給紙スキャンの際、スキャン台１２０の上の送紙モジュール２００を持ち上げなくても、スキャン台１２０を容易に掃除することができる。清掃モジュール３００のブラシヘッド３１０によって、スキャン台１２０の上面１２２上の汚れを一時的にスキャン範囲外へ掃き取ることができ、その後、スキャン台１２０を持ち上げたときに除去すればよい。
【００２６】
以上の説明は、単に本考案の好ましい実施例に過ぎず、本考案に係る請求の範囲を限定するものではない。本考案の精神の範囲を適用したこれら以外の全ての均等的な変形も、本考案に係る請求の範囲に含まれるものである。
【符号の説明】
【００２７】
１００  スキャンモジュール
１１０  紙載せ台
１２０  スキャン台
１２１  底面
１２２  上面
１３０  スキャナ
１４０  誘導斜面
２００  送紙モジュール
２０１  送紙通路
２０２  スキャン窓
２１０  紙押圧ブロック
２２０  用紙トレイ
２３０  ローラ
３００  清掃モジュール
３０１  レール
３１０  ブラシヘッド
３２０  アクチュエートアセンブリ
３２１  アクチュエートモータ
３２２  レバー
３３０  駆動ベルト
【図１】
0003235251.tif 000003
【図２】
0003235251.tif 000004
【図３】
0003235251.tif 000005
【図４】
0003235251.tif 000006
【図５】
0003235251.tif 000007
【図６】
0003235251.tif 000008
【図７】
0003235251.tif 000009